(57)【要約】【課題】設備費を少なく抑えながらも、居住者の省エネルギーへの意識向上及び行動喚起の定着を効果的に図ることができるスイッチ装置を提供する。【解決手段】このスイッチ装置１０は、屋内壁面１に取り付けたスイッチ本体２と、照明器具４０への通電又は遮断を行うスイッチ部３と、このスイッチ部３を介して照明器具４０に供給される電力を計測する電力計測部４と、この電力計測部４によって計測された電力から消費電力量を算出する制御演算部５と、この制御演算部５によって算出された消費電力量を表示する表示部６を備え、少なくとも電力計測部４、制御演算部５及び表示部６を一体にユニット化してなるユニット体８を、スイッチ本体２に対して着脱可能とするとともに、別のスイッチ装置２０・・においても利用可能としている。【選択図】図１
2009014634.tif 000002
【特許請求の範囲】
【請求項１】
屋内壁面（１）に取り付けたスイッチ本体（２）と、照明器具（４０）や換気扇等の電気機器への通電又は遮断を行うスイッチ部（３）と、このスイッチ部（３）を介して前記電気機器に供給される電力を計測する電力計測部（４）と、この電力計測部（４）によって計測された電力から前記電気機器における消費電力量を算出する制御演算部（５）と、この制御演算部（５）によって算出された消費電力量を表示する表示部（６）を備え、少なくとも前記電力計測部（４）、制御演算部（５）及び表示部（６）を一体的にユニット化してなるユニット体（８）を、前記スイッチ本体（２）に対して着脱可能とするとともに、別のスイッチ装置（２０）においても利用可能としたことを特徴とするスイッチ装置。
【請求項２】
前記ユニット体（８）は、前記電力計測部（４）、制御演算部（５）、表示部（６）及びスイッチ部（３）を一体的にユニット化してなる請求項１記載のスイッチ装置。
【請求項３】
前記スイッチ本体（２）における前記ユニット体（８）を取り外した後のユニット体取付部（１２）に、化粧カバー（２１）を取り付けるようにした請求項１又は２記載のスイッチ装置。
【請求項４】
前記制御演算部（５）は、前記電力計測部（４）によって計測された電力から前記電気機器における消費電力量、電気料金及び二酸化炭素排出量を算出し、前記表示部（６）は、前記制御演算部（５）によって算出された消費電力量、電気料金及び二酸化炭素排出量を切替表示可能とした請求項１乃至３いずれかに記載のスイッチ装置。
【発明の詳細な説明】
【技術分野】
【０００１】
この発明は、照明器具や換気扇等の電気機器における消費電力量等を測定表示する機能を備えたスイッチ装置に関する。
【背景技術】
【０００２】
一般家庭において、現在使用している電気機器の消費電力量を居住者に知らせることは、省エネルギーへの意識向上及び行動喚起に繋がるため、これまでにも電気機器の消費電力量を測定表示する機能を有する各種装置が提案されている。
【０００３】
この種の装置としては、例えば分電盤に備え付けて住宅全体の電気機器の合計消費電力量を測定表示するものや、コンセントに備え付けてコンセントに接続した電気機器の消費電力量を個々に測定表示するものが知られている。
【０００４】
ところが、前者の分電盤型によって表示される消費電力量は、住宅全体の電気機器の合計消費電力量であるから、消費電力量の大きな加熱機器、冷暖房機器、冷蔵庫等の影響を受け易く、これらに比べて消費電力量の小さい照明器具等について節電対策を行っても、その結果が合計消費電力量に反映され難くなっていた。
【０００５】
一方、後者のコンセント型では、コンセントに接続して使用する電気機器の消費電力量を測定表示するから、壁埋め込み型のスイッチを使用してオンオフする照明器具等の消費電力量については対象外となっていた。
【０００６】
日常生活において頻繁に使用する照明器具等は、居住者の日々の節電努力によって大幅な省エネルギー効果を見込めるにもかかわらず、上記のような分電盤型やコンセント型では、照明器具等における省エネルギー効果を実感することができなかった。
【０００７】
そこで、例えば特許文献１にも開示されているように、照明器具等をオンオフ制御する壁埋め込み型のスイッチに対して、照明器具等の消費電力量を測定表示する機能を付加したものが提案されている。これにより、照明器具等をこまめに消灯するといったような居住者の日々の節電努力の結果を、表示される消費電力量に十分に反映させることができ、照明器具等における省エネルギー効果を実感することができる。
【０００８】
【特許文献１】特開２００２−３６５３１３号公報
【発明の開示】
【発明が解決しようとする課題】
【０００９】
しかしながら、一般に住宅全体としては、照明器具等をオンオフするための壁埋め込み型のスイッチが数多く設けられており、それら各スイッチに対して上記のような消費電力量を測定表示する機能を付加した場合、設備費の高騰を招くといった不具合があった。また、設備費の低減を図るために、例えばリビングのスイッチには上記機能を付加するが、子供部屋や洗面室のスイッチには付加しないといったように、１又は数ヶ所のスイッチにのみ上記機能を付加すると、居住者の省エネルギーへの意識向上及び行動喚起の定着といった点において、その効果が半減するといった不具合があった。
【００１０】
そこで、この発明は、上記不具合を解消して、設備費を少なく抑えながらも、居住者の省エネルギーへの意識向上及び行動喚起の定着を効果的に図ることができるスイッチ装置の提供を目的とする。
【課題を解決するための手段】
【００１１】
上記課題を解決するために、この発明のスイッチ装置は、屋内壁面１に取り付けたスイッチ本体２と、照明器具４０や換気扇等の電気機器への通電又は遮断を行うスイッチ部３と、このスイッチ部３を介して電気機器に供給される電力を計測する電力計測部４と、この電力計測部４によって計測された電力から電気機器における消費電力量を算出する制御演算部５と、この制御演算部５によって算出された消費電力量を表示する表示部６とを備え、少なくとも電力計測部４、制御演算部５及び表示部６を一体的にユニット化してなるユニット体８を、スイッチ本体２に対して着脱可能とするとともに、別のスイッチ装置２０においても利用可能としている。
【００１２】
また、ユニット体８は、電力計測部４、制御演算部５、表示部６及びスイッチ部３を一体的にユニット化して構成される。
【００１３】
さらに、スイッチ本体２におけるユニット体８を取り外した後のユニット体取付部１２に、化粧カバー２１を取り付けるようにしている。
【００１４】
さらにまた、制御演算部５は、電力計測部４によって計測された電力から電気機器における消費電力量、電気料金及び二酸化炭素排出量を算出し、表示部６は、制御演算部５によって算出された消費電力量、電気料金及び二酸化炭素排出量を切替表示可能としている。
【発明の効果】
【００１５】
この発明のスイッチ装置によると、屋内壁面に取り付けたスイッチ本体に対して、電気機器の消費電力量等を測定表示する機能を備えたユニット体を着脱可能とするとともに、このユニット体を別のスイッチ装置にも利用可能としているので、複数のスイッチ装置の夫々に電気機器の消費電力量等を測定表示する機能を付加しなくても、ユニット体を共有して使用することで各スイッチ装置において電気機器の消費電力量等を測定表示することができる。これにより、設備費を少なく抑えながらも、居住者の省エネルギーへの意識向上及び行動喚起の定着を図ることができる。
【００１６】
また、スイッチ本体におけるユニット体を取り外した後のユニット体取付部に、化粧カバーを取り付けることで、ユニット体を別のスイッチ装置において使用しているときに、ユニット体取付部を化粧カバーにより覆い隠して見栄えを良好に維持することができる。
【００１７】
さらに、ユニット体において、電気機器の消費電力量、電気料金及び二酸化炭素排出量を表示することで、複数の視点から省エネルギー効果を捉えることができ、居住者の省エネルギーへの意識向上及び行動喚起の定着をより一層高めることができる。
【発明を実施するための最良の形態】
【００１８】
（第１実施形態）
この発明の第１実施形態に係るスイッチ装置１０は、住宅に設けた電気機器としての照明器具４０をオンオフ制御するものであって、図１及び図２に示すように、屋内壁面１に取り付けたスイッチ本体２と、照明器具４０への通電又は遮断を行うスイッチ部３と、このスイッチ部３を介して照明器具４０に供給される電力を計測する電力計測部４と、この電力計測部４によって計測された電力から照明器具４０における消費電力量、電気料金及び二酸化炭素排出量といった各種情報を算出する制御演算部５と、この制御演算部５によって算出された各種情報を切替表示可能とする表示部６と、この表示部６によって表示する情報を切り替えるための操作部７とを備えている。そして、電力計測部４、制御演算部５、表示部６及び操作部７が一体的にユニット化されていて、このユニット体８がスイッチ本体２に対して着脱可能とされている。
【００１９】
スイッチ本体２は、図２及び図３に示すように、例えば矩形状に形成されていて、屋内壁面１における床面から約１２０ｃｍの高さ位置に配され、居住者の目に触れ易くなっている。このスイッチ本体２の正面上部側には、スイッチ部３が取り付けられ、正面下部側には、矩形状の凹所からなる端子挿入孔１１付きのユニット体取付部１２が形成されている。
【００２０】
スイッチ部３は、押しボタン式となっており、照明器具４０に電力を供給するための電気配線１３を接続状態と遮断状態とに切り替えるようになっている。そして、スイッチ部３には、電気配線１３を接続状態として照明器具４０への通電を行っているときに点灯して、電気配線１３を遮断状態として照明器具４０への通電を遮断したときに消灯するランプ１４が設けられている。
【００２１】
ユニット体８は、図２に示すように、スイッチ本体２のユニット体取付部１２に対応した矩形状の外装ケース１５を備えており、この外装ケース１５に、電流計等からなる電力計測部４、ＣＰＵ及びメモリ等を備えたマイクロコンピュータからなる制御演算部５、液晶やＬＥＤ等の各種ディスプレイからなる表示部６及び押しボタン式の操作部７を組み込むことによって構成されている。
【００２２】
外装ケース１５の正面側には、表示部６の表示面及び操作部７が配され、背面側には、ユニット体取付部１２に装着したときにその端子挿入孔１１に挿入される接続端子１６が突設されている。そして、ユニット体８をユニット体取付部１２に装着して、接続端子１６を端子挿入孔１１に挿入することで、ユニット体８側とスイッチ本体２側とが電気的に接続されるようになっている。
【００２３】
制御演算部５は、そのメモリにおいて、所定電力に対する照明器具４０の消費電力量、電気料金、二酸化炭素排出量の各基準値が予め記憶されており、電力計測部４によって計測した電力から各基準値に基づいて照明器具４０における消費電力量、電気料金及び二酸化炭素排出量を算出するようになっている。また、算出した消費電力量、電気料金及び二酸化炭素排出量を、一日や一週間といった所定期間毎に積算してメモリに逐次記録し、それら積算値を表示部６に表示させることも可能となっている。
【００２４】
なお、制御演算部５にタイマー機能を設けて、照明器具４０の長時間の連続点灯すなわち消し忘れを検知して、スイッチ部３を制御して通電を解除しても良い。また、ユニット体８にアラーム機能を設けて、制御演算部５が照明器具４０の消し忘れを検知したときに、アラームによって警告するようにしても良い。
【００２５】
上記ユニット体８は、別のスイッチ装置２０においても利用可能となっている。すなわち、住宅全体としては、照明器具用の壁埋め込み型のスイッチ装置１０、２０・・が数多く設けられているが、そのうちの１つがユニット体８を備え付けたスイッチ装置１０となっていて、別のスイッチ装置２０・・については、図４に示すように、ユニット体取付部１２に対してユニット体８が未装着状態となっていて、そのユニット体取付部１２には方形状の化粧カバー２１が着脱可能に取り付けられている。そして、別のスイッチ装置２０・・の化粧カバー２１・・は、ユニット体８を取り外した後のスイッチ装置１０のユニット体取付部１２にも取り付けることができるようになっている。なお、別のスイッチ装置２０・・の化粧カバー２１・・を使用する代わりに、スイッチ装置１０に対してユニット体８を取り外したときに使用する化粧カバーを用意しておいても良い。
【００２６】
上記構成において、例えば居住者が集うリビングのスイッチ装置として上記スイッチ装置１０を適用して、そのユニット体８の表示部６において照明器具４０の消費電力量、電気料金、二酸化炭素排出量といった各種情報を表示する。これにより、例えば照明器具４０をこまめに消灯したり、照明器具４０を省エネルギー配慮機種に変更する(例えば白熱電球から蛍光灯へ変える)ことで、消費電力量、電気料金、二酸化炭素排出量が少なくなることを確認でき、居住者の日々の節電努力によって大幅な省エネルギー効果を見込めることを実感することできる。消費電力量、電気料金、二酸化炭素排出量の日別の積算値表示によって、照明器具４０を消し忘れた日についての積算値が際立って多くなることを確認でき、照明器具４０の消し忘れが如何に無駄であるかを実感することができる。二酸化炭素排出量表示により、日常生活において何気なく使用しているエネルギーが地球温暖化に無関係ではないことを実感できる。
【００２７】
このように、日常生活において頻繁に使用する照明器具４０の消費電力量、電気料金、二酸化炭素排出量といった各種情報を表示して、節電努力の結果等を反映させることで、これをきっかけとして、居住者の省エネルギーへの意識向上及び行動喚起を図ることができる。
【００２８】
しかも、スイッチ装置１０のユニット体８は着脱可能であって、別のスイッチ装置２０・・に対しても使用することができる。従って、住宅の複数箇所に設置したスイッチ装置のそれぞれに消費電力量等を測定表示する機能を付加しなくても、例えば子供部屋や洗面室といったリビング以外の箇所において別のスイッチ装置２０・・を設置しておけば、それら別のスイッチ装置２０・・のユニット体取付部１２・・に対して、リビングのスイッチ装置１０から取り外したユニット体８を取り付けるだけで、それら箇所に設置した別のスイッチ装置２０・・においても照明器具の消費電力量、電気料金、二酸化炭素排出量といった各種情報を表示して、上記のように居住者の省エネルギーへの意識向上及び行動喚起を図ることができる。
【００２９】
従って、設備費を少なく抑えながらも、居住者の省エネルギーへの意識向上及び行動喚起の定着を効果的に高めることができ、照明器具４０だけではない他の設備の使用に際しても省エネルギーへの関心を波及させることができる。しかも、スイッチ装置１０におけるユニット体８を取り外した後のユニット体取付部１２には、ユニット体８を取り付ける別のスイッチ装置１０の化粧カバー２１を取り付けるようにしており、これによってスイッチ装置１０のユニット体取付部１２を覆い隠して、見栄えを良好に維持することができる。
【００３０】
（第２実施形態）
第２実施形態に係るスイッチ装置５０においては、図５及び図６に示すように、電力計測部４、制御演算部５、表示部６、操作部７及びスイッチ部３が一体的にユニット化されていて、このユニット体５１がスイッチ本体５２のユニット体取付部５３に対して着脱可能とされている。すなわち、このスイッチ装置５０においては、ユニット体５１の外装ケースが押しボタン式スイッチ部３として機能するようになっている。
【００３１】
そして、上記ユニット体５１は、別のスイッチ装置６０においても利用可能となっている。別のスイッチ装置６０・・においては、図７に示すように、ユニット体取付部６１に対してユニット体５１が未装着状態となっていて、そのユニット体取付部６１には方形状の化粧カバー６２が着脱可能に取り付けられている。そして、別のスイッチ装置６０・・の化粧カバー６２・・は、ユニット体５１を取り外した後のスイッチ装置５０のユニット体取付部５３にも取り付けることができるようになっている。
【００３２】
なお、図８に示すように、ユニット体５１を取り外した後のスイッチ装置５０において、照明器具４０のオンオフ制御を可能とするように、ユニット体取付部５３に補助スイッチ部５４を設けるようにしても良い。その他の構成及び作用効果は、上記の第１実施形態と同様であり、第１実施形態と同様の機能を有する部材については同符号を付してある。
【００３３】
この発明は、上記実施形態に限定されるものではなく、この発明の範囲内で上記実施形態に多くの修正及び変更を加え得ることは勿論である。例えば、この発明のスイッチ装置は、照明器具用としてだけではなく、換気扇やその他電気機器のオンオフ制御を行うスイッチ装置として用いるようにしても良い。また、ユニット体としては、少なくとも電力計測部、制御演算部及び表示部が一体的にユニット化されていれば良く、従って操作部をスイッチ本体側に設けるようにしても良い。さらに、ユニット体に各種情報を記憶する記憶媒体を設けて、この記憶媒体に記憶されている各種情報を無線若しくは通信ケーブルを介してパーソナルコンピュータや携帯電話、ＰＤＡ等に取り込んで、より詳細な情報収集や分析を行っても良い。
【図面の簡単な説明】
【００３４】
【図１】この発明の第１実施形態に係るスイッチ装置のブロック図である。
【図２】同じくその分解斜視図である。
【図３】同じくその正面図である。
【図４】別のスイッチ装置の分解斜視図である。
【図５】第２実施形態に係るスイッチ装置のブロック図である。
【図６】同じくその分解斜視図である。
【図７】別のスイッチ装置の分解斜視図である。
【図８】補助スイッチ部を備えたスイッチ装置の分解斜視図である。
【符号の説明】
【００３５】
１・・屋内壁面、２・・スイッチ本体、３・・スイッチ部、４・・電力計測部、５・・制御演算部、６・・表示部、８、５１・・ユニット体、１０、５０・・スイッチ装置、１２、５３・・ユニット体取付部、２０、６０・・別のスイッチ装置、２１、６２・・化粧カバー
【図１】
2009014634.tif 000003
【図２】
2009014634.tif 000004
【図３】
2009014634.tif 000005
【図４】
2009014634.tif 000006
【図５】
2009014634.tif 000007
【図６】
2009014634.tif 000008
【図７】
2009014634.tif 000009
【図８】
2009014634.tif 000010